(57)【要約】      （修正有）【課題】凹所を備えたフォイルおよびそのフォイルと液体との集合体に関する。【解決手段】たとえば、画像システムへの使用を意図したフォイル１であって、前記フォイル１は、第１の表面と、前記第１の表面に対して略反対側に位置された第２の表面とを有し、前記第１の表面は多数の凹所５を備え、前記多数の凹所５は、第１の表面からフォイル１の厚みの一部を通って第２の表面の方向に各々が延び、各々が液体で充填されることができるフォイル１。【選択図】図１ａ
2004170925.tif 000002
【特許請求の範囲】
【請求項１】
たとえば、画像システムへの使用を企図したフォイルであって、第１の表面と、第１の表面に対して略反対側に位置された第２の表面とを有し、第１の表面は多数の凹所を備え、多数の凹所のそれぞれは、第１の表面からフォイルの厚みの一部を通って第２の表面の方向に延び、液体の充填が可能であるフォイルにおいて、多数の凹所は多数の組に分割され、各組は多数の凹所を含み、各組内の各凹所はその組内の他の凹所との液体結合部を有していることを特徴とするフォイル。
【請求項２】
前記液体結合部は溝を含むことを特徴とする請求項１記載のフォイル。
【請求項３】
フォイルの通常の方向に見て、溝の長手方向を横断する方向の各溝の横断面は各凹所の直径よりも小さいことを特徴とする請求項２記載のフォイル。
【請求項４】
フォイルが、第１の表面から第２の表面へ延びる少なくとも１つの側面を有し、前記側面は、閉鎖可能な開口部を備え、溝の１つが各開口部内に排出していることを特徴とする請求項２または３記載のフォイル。
【請求項５】
少なくとも溝の１つが、開口部の１つに排出する第１の端部と、他の開口部の１つに排出する第２の端部とを備えていることを特徴とする請求項４記載のフォイル。
【請求項６】
少なくとも１つの組の凹所が１列に並ぶことを特徴とする請求項２〜５のうちのいずれか１項に記載のフォイル。
【請求項７】
閉鎖層が前記第１の表面に対して貼付されることを特徴とする請求項１〜６のうちのいずれか１項に記載のフォイル。
【請求項８】
第１の層状部分および第２の層状部分からなり、前記凹所は前記第１の層状部分内に配され、前記第２の層状部分は前記第１の層状部分内に配された各凹所に対する底部を含むことを特徴とする請求項１〜７のうちのいずれか１項に記載のフォイル。
【請求項９】
エッチング技術を用いることによって前記凹所が前記第１の層状部分に提供されることを特徴とする請求項８記載のフォイル。
【請求項１０】
プリント技術を用いることによって前記第１の層状部分が前記第２の層状部分に貼付されることを特徴とする請求項１〜９のうちのいずれか１項に記載のフォイル。
【請求項１１】
プリント技術は画像プリント技術を含むことを特徴とする請求項１０記載のフォイル。
【請求項１２】
各組の凹所は、電気泳動媒体で充填されることを特徴とする請求項１〜１１のいずれか１項に記載のフォイル。
【請求項１３】
第１の数の組の凹所が第１の主要色を採用可能な電気泳動媒体で充填され、第２の数の組の凹所が第２の主要色を採用可能な電気泳動媒体で充填され、第３の数の組の凹所が第３の主要色を採用できる電気泳動媒体で充填されることを特徴とする請求項１２記載のフォイル。
【請求項１４】
多数の組がグループに細分され、各グループは排他的に第１の組を備え、第１の組の凹所が第１の主要色を採用できる電気泳動媒体で充填され、第２の組が第１の組の側に配され、第２の組の凹所が第２の主要色を採用できる電気泳動媒体で充填され、第３の組が第１の組および／または第２の組の側に配され、第３の組の凹所が第３の主要色を採用できる電気泳動媒体で充填されることを特徴とする請求項１３記載のフォイル。
【請求項１５】
前記開口部がホットメルトを用いて封止されることを特徴とする請求項１２，１３または１４記載のフォイル。
【請求項１６】
請求項１〜１１のうちのいずれか１項に記載のフォイルと前記凹所が充填され得る液体とを含む集合体であって、前記液体とフォイルを構成する材料と各凹所の大きさおよび各溝の大きさとは、凹所充填時に前記液体が、毛細管作用によって溝内および前記溝に結合された凹所内に含まれるようになっていることを特徴とする集合体。
【請求項１７】
前記液体は、パラフィンオイルを含むことを特徴とする請求項１６記載の集合体。
【請求項１８】
前記材料は紫外線とともに取扱い可能なエポキシを含むことを特徴とする請求項１６または１７記載の集合体。
【請求項１９】
各凹所は、２５０μｍよりも大きく８００μｍよりも小さい直径を有することを特徴とする請求項１６〜１８のうちのいずれか１項に記載の集合体。
【請求項２０】
各溝は、５０μｍ〜２００μｍの範囲内の直径を有することを特徴とする請求項１６〜１９のうちのいずれか１項に記載の集合体。
【請求項２１】
２つの凹所間に位置した各溝の一部は、５０μｍより長く２００μｍより短い長さを有することを特徴とする請求項１６〜２０のうちのいずれか１項に記載の集合体。
【請求項２２】
前記液体が凹所に含まれることを特徴とする請求項１６〜２１のうちのいずれか１項に記載の集合体。
【請求項２３】
請求項１〜１５のうちのいずれか１項に記載のフォイルを備えた画像システム。
【請求項２４】
請求項１６〜２２のうちのいずれか１項に記載の集合体を備えていることを特徴とする画像システム。
【発明の詳細な説明】
【技術分野】
【０００１】
本発明は、たとえば、画像システムでの使用を企図したフォイルであって、前記フォイルは、第１の表面と、前記第１の表面に対して略反対側に位置された第２の表面とを有し、前記第１の表面は多数の凹所を備え、前記多数の凹所はそれぞれ、第１の表面からフォイルの厚みの一部を通って第２の表面の方向に延び、流体で充填可能なフォイルに関する。
【背景技術】
【０００２】
そのようなフォイルは、たとえば、特許文献１から既知である。この既知のフォイルの凹所はそれぞれ液体を備え、その外観は流体上に印加される電界を用いて制御できる。このようにして液体が荷電粒子を備えてもよく、荷電粒子は、電極を用いて液体上に印加される電界線の方向に依存し、第１の表面の方向または第２の表面の方向のいずれかに移動する。液体内の荷電粒子の位置が、所定の目視側から見たような液体の外観を決める。この特別の場合、電気泳動媒体が存在し、この媒体で充填された凹所が電気泳動画像素子を形成する。電気泳動媒体をともなうそれぞれの凹所上に別々に制御できる電界が印加された場合、相互に接近して配された多数の凹所が、目視側から見られる所定の画像を形成できる。
【０００３】
【特許文献１】国際公開第０２／１０８５３号パンフレット
【発明の開示】
【発明が解決しようとする課題】
【０００４】
そのようなフォイルの欠点は、各凹所が別々に液体で充填されていなければならないという点である。特に、いくつかの凹所が、他の凹所が充填されなければならない電気泳動媒体とは異なる電気泳動媒体で充填されなければならない場合、この点が問題となる。特にこの場合、複雑な作用および／または複雑な装置が必要であり、その結果として凹所の選択充填は困難で、時間がかかり、高価な処理となる。
【０００５】
本発明の目的は、前述した既知のフォイルの欠点を除去したフォイルを提供することである。
【課題を解決するための手段】
【０００６】
本発明のこの目的は、本発明に従うフォイルで達成され、前記フォイルは、多数の凹所が多数の組に分割され、各組は多数の凹所を含み、各組内の各凹所はその組内の他の凹所との液体結合部を有することを特徴とする。
【発明の効果】
【０００７】
各組に含まれる凹所を液体で充填し、該凹所をその組に含まれる別の凹所と液体結合部によって結合する場合、液体は液体結合部を介して他の凹所にも入り込んでいく。そのため、特定の組内の各凹所が別々に液体で充填される必要はない。組中の凹所がより多く相互結合すればするほど、１つの凹所の充填時に該組中の凹所は、より多く液体で充填される。可能性のある複雑な装置の使用および／または複雑な作用の実行がこのように削減され得る。さらに、他の組とは異なる組中の凹所は、必要ならば、他の組の凹所を充填した液体と異なる液体で充填され得る。このように、１つの組中の凹所が、たとえば赤色を採用可能な液体で充填されることが可能であり、他の組内の凹所が、たとえば青色を採用可能な液体で充填されることが可能である。そのため、このようなうフォイルを用いることにより多色画像システムが可能になる。
【０００８】
好ましくは、液体結合部は溝を含む。さらに好ましくは、フォイルの法線方向に見て、溝の長手方向を横断する方向の各溝の横断面は各凹所の直径よりも小さいことが含まれる。このことは、以下の利点を有する。フォイルの法線方向に見て、画像システム内にフォイルを用いた場合、凹所を定義する画像素子は大略的に外観を決める。使用時にこれらの画像素子とともに形成されるべき画像は、存在する溝によって殆ど妨げられない。さらに、このことによって、たとえば、ある組の２つの凹所間に配した溝のそばに、隣接した組の凹所を位置させることができ、このことは、異なる組の凹所がお互い接近して配置可能であることを意味する。このことは、使用時に、画像システムに含まれるそのようなフォイルとともに形成される画像の質に対して好適である。
【０００９】
特別な実施形態において、フォイルが、第１の表面から第２の表面へ延びる少なくとも１つの側面を有し、前記側面は、溝の１つが排出する少なくとも１つの開口部を備えている。この場合、溝が排出する開口部を介して、溝と結合された凹所を充填できる。溝と結合された凹所を充填した後、開口部は勿論閉鎖されなければならない。このことは、開口部と反対側に閉じている層を提供することによって随意的に行われる。しかしながら。開口部は、クランピングによって閉鎖されることも可能である。また、ホットメルト設備を開口部の閉鎖のために提供してもよい。
【００１０】
本発明に従うフォイルの特別な実施形態において、少なくとも溝の１つが、開口部の１つに排出する第１の端部と、他の開口部の１つに排出する第２の端部とを備えていることが含まれる。そのような実施形態において、凹所は第１の表面でそれぞれ閉鎖されることが可能である。実際、開口部の１つを介して溝を液体で充填した場合、溝内およびそれに結合された凹所内に存在する空気は、開口部の１つに排出する溝の第２の端部を介して退避可能である。
【００１１】
本発明に従うフォイルの特別な実施形態において、フォイルは第１の層状部分および第２の層状部分からなり、凹所は第１の層状部分に配され、第２の層状部分は前記第１の層状部分に配された各凹所に対する底部を含む。前記凹所は、それ自体既知のエッチング技術を用いることによってフォイル内に提供されてもよい。第１の層状部分は、プリント技術を用いて第２の層状部分に貼付されることも可能である。
【００１２】
好ましくは、各組内の凹所が電気泳動媒体で充填され、フォイルが電気泳動画像システム内での使用に適するようになることが含まれる。
【００１３】
特別な実施形態において、さらに、第１の数の組の凹所が第１の主要色を採用できる電気泳動媒体で充填され、第２の数の組の凹所が第２の主要色を採用できる電気泳動媒体で充填され、第３の数の組の凹所が第３の主要色を採用できる電気泳動媒体で充填されることがさらに含まれる。このことによりカラー画像システムにおいてそのようなフォイルを用いる可能性が与えられる。
【００１４】
好ましくは、多数の組がグループに細分され、各グループは排他的に第１の組を備え、第１の組内の凹所が第１の主要色を採用できる電気泳動媒体で充填され、第２の組が第１の組の側に配され、第２の組内の凹所が第２の主要色を採用できる電気泳動媒体で充填され、第３の組が第１の組および／または第２の組の側に配され、第３の組内の凹所が第３の主要色を採用できる電気泳動媒体で充填されることがさらに含まれる。その場合、各グループはカラー画像素子を形成でき、画像システムにおいて前記カラー画像素子は制御可能であり、フォイルからある距離をおいて各所定の色がカラー画像素子の位置で観察できる。
本発明はまた、フォイルおよび凹所が充填された液体等を含む集合体に関する。
【発明を実施するための最良の形態】
【００１５】
本発明は、図面を参照して説明される。
図１ａは、フォイル１の平面を示す図であり、たとえば画像システムに用いられることを意図したものである。図１ｂおよび図１ｃは、フォイル１の断面を示す図であり、それぞれ図１ａのＡ−Ａ線、Ｂ−Ｂ線に沿う。図１ｄは、側面図であり、たとえば図１ａの目視点２から眺めた側面図である。本側面図は図１ａのＥ−Ｅ線に沿う。フォイル１は、第１の表面３と、第１の表面３に対して略反対側に位置した第２の表面４とを備えている。第１の表面３は多数の凹所５を備え、該多数の凹所５は、第１の表面３から第２の表面４の方向にフォイル１の厚さ部分を通ってそれぞれ延びる。各凹所は液体で充填され得る。多数の凹所は多数の組Ｓの上に分割され、各組は多数の凹所５を含む。組Ｓの各凹所５は組Ｓの他の凹所との液体結合部６を有する。図示された例において、各液体結合部６は溝６を含み、該各液体結合部６は第１の表面３と第２の表面４との間に位置する。
【００１６】
たとえば、図１ａの平面図が示すように、フォイルを法線方向に見た場合、溝６の長手方向を横断する方向の各溝６の横断面は、各凹所５の直径Ｄよりも小さい。言換えれば、各溝６は、各凹所５より狭い。すなわち、溝６の相対する壁間の距離は、少なくとも１つの位置における凹所５の相対する壁間の距離よりも小さい。図示された典型的な実施形態において、各組Ｓ内の凹所５は、一列に配される。図示された実施形態において、フォイル１は、図１ａに示されたような多数の溝６を含む。本実施形態において、各凹所５はそのような溝６を用いることによって、少なくとも別の凹所５に結合する。図１ａ〜図１ｄにおいて、フォイルは側面７を備え、各側面７は、第１の表面３から第２の表面４へ延びていることも示されている。そのような側面７は、例に示されたように開口部８を備えている。各開口部８内に溝６の１つが排出されている。そのようなフォイル１を用いて、液体を開口部８に流すことによって該液体を凹所５に充填することができる。その後、（図示しない）液体の前部が溝６内および凹所５内に進んだ時に溝６内および凹所５内に存在する空気が第１の表面に沿って流れ出ることが可能である。そのような開口部８がない場合も勿論可能である。その場合、溝６は第１の表面３および第２の表面４に平行な方向に行き止まりにされる。図示されたフォイル１の実施形態において、その後各溝６で結合された凹所５を液体で充填することによって凹所５を充填することが可能である。
【００１７】
図示された好適な実施形態において、各溝６は、開口部８の一方に排出している第１の端部９と開口部８の一方に排出している第２の端部１０とを備えている。そのような溝６と凹所５は、フォイル１の第１表面３の近くで閉鎖層１１とともに任意に閉鎖されてもよく、該閉鎖層１１は、第１の表面３に対して貼付される。図２ｂ、図２ｃおよび図２ｄは、そのような層１１を伴う第２の実施形態を示す。この場合、各組Ｓの凹所５は、たとえば、電気泳動媒体ＥＦＭ．１，ＥＦＭ．２，ＥＦＭ．３のような液体で充填される。この液体は、各組Ｓ用の液体と同一であってもよい。しかしながら、図２に示すように、第１の数の組Ｓ内の凹所５は、電気泳動媒体ＥＦＭ．１．で充填され、該ＥＦＭ．１は第１の主要色を採用でき、第２の数の組Ｓ内の凹所５は、電気泳動媒体ＥＦＭ．２で充填され、該ＥＦＭ．２は第２の主要色を採用でき、第３の数の組Ｓ内の凹所５は、電気泳動媒体ＥＦＭ．３で充填され、該ＥＦＭ．３は第３の主要色を採用できるということも可能である。第１の主要色は、たとえば、赤を含んでもよく、第２の主要色は、たとえば、緑を含んでもよく、第３の主要色は、たとえば、青を含んでもよい。
【００１８】
好ましくは、多数の組ＳはグループＧx（ｘ＝１，２...）に細分され、各グループＧxは排他的に第１の組Ｓ1を備え、該第１の組Ｓ1の凹所５が電気泳動媒体ＥＦＭ．１で充填され、該ＥＦＭ．１は、第１の主要色を採用でき、第２の組Ｓ2が第１の組Ｓ1の側に配され、該第２の組Ｓ2の凹所５が電気泳動媒体ＥＦＭ．２で充填され、該ＥＦＭ．２は、第２の主要色を採用でき、第３の組Ｓ3が、第１および／または第２の組（Ｓ1，Ｓ2）の側に配され、該第３の組Ｓ3の凹所が電気泳動媒体ＥＦＭ．３で充填され、該ＥＦＭ．３は、第３の主要色を採用できる。この場合、３つの凹所５は、相互に近接して配され、他の２つの凹所５のうちの１つに含まれる電気泳動媒体によって、採用不可能な色を採用できる電気泳動媒体でそれぞれ充填される。このように相互に近接して配された３つの凹所５は画像素子を一緒に形成することができ、該画像素子は、フォイルからある距離をおいて、その画像素子の位置で各所定の色が観察できるような画像システムにおいて制御できる。そのような画像素子の例は、図２ａ中の三角形３０によって概略的に示される。凹所５は、たとえば、端部９を介して溝６内に液体を流させることによって該液体で充填されてもよい。液体１２は、たとえば、開口部８を介して溝６内および凹所５内に流れてもよい。液体の前部が進む場合に、溝６内および凹所５内に存在する空気は、開口部８の１つに排出する第２の端部１０から抜けることが可能である。好ましくは、液体が、毛細管作用の影響を受けて溝６内および凹所５内に流れる。
【００１９】
その場合、本発明に従うフォイル１と液体１２の集合体が存在することになり、凹所５が該液体で充填される。これに関して、該液体と、フォイルを構成する材料と、各凹所および各溝の大きさとは、該液体が凹所５の充填時に毛細管作用を用いて溝６およびそれに結合する凹所５各々内に単独に含まれるかのごとく含まれるようにされている。そのような効果が生じるように、溝６および凹所５の大きさ、フォイル１の材料およびそれぞれに対する液体を調整することは当業者にとってたやすい仕事である。材料は、たとえば、紫外線とともに取扱い可能なエポキシ、ドライフィルムフォトレジストまたはポリイミドを含んでもよく、凹所は、直径Ｄを含んでもよく、該直径は２５０μｍ〜８００μｍ、好ましくは４００μｍ〜６００μｍをとる。溝６の壁間の距離、すなわち、溝６の直径は、好ましくは２００μｍよりも小さく、５０μｍよりも大きい。液体は、たとえば、パラフィン油を含んでもよい。２つの凹所間に配された各溝６の一部は、好ましくは５０μｍ〜２００μｍの長さを有する。毛細管効果を用いる代わりに、凹所５およびそれに結合された溝６を液体１２で充填するために、真空吸引を用いることも可能である。この目的を達成するために、たとえば、真空ポンプを開口部８の１つに放出している第２の端部１０に結合することによって、空気を吸引除去することができる。中間生成物において、そのような集合体の液体は凹所内に含まれる。最終生成物として、画像システムはそのような中間生成物を備えてもよい。
【００２０】
好ましくは、フォイル１は、第１の層状部分Ｐおよび第２の層状部分Ｌからなり、凹所５は、第１の層状部分Ｐに配される。第２の層状部分Ｌは前記第１の層状部分に配された各凹所に対する底部を含む。第１の層状部分Ｐと第２の層状部分Ｌとの間の分離は、図２ｂ〜図２ｄにおいて破線を用いて示される。凹所５は、エッチング技術を用いて第１の層状部分Ｐに提供される。そのために、石版エッチング技術、化学エッチング技術、マスクを利用した任意のエッチング技術、またはそれ自体既知の他のエッチング技術を用いることができる。この場合、第１の層状部分Ｐは第２の層状部分Ｌに結合されている。しかしながら、プリント技術を用いることにより第１の層状部分Ｐの第２の層状部分Ｌへの貼付も可能であり、このようにして凹所５と溝６とを有するフォイルの形成も可能である。そのために、画面プリント技術およびそれ自体既知の他の技術を用いてもよい。凹所５および／または溝６が、少なくとも部分的に機械的にカッティング技術によって勿論提供されることもできる。勿論、閉鎖層１１は、フォイル１が凹所５および溝６を備えてはじめて貼付される。
【００２１】
電気泳動画像システムにおいて、凹所５は、電気泳動媒体でそれぞれ充填されなければならない。この媒体は、荷電粒子が含まれる液体からなる。荷電粒子の位置は、フォイル１の視点側での液体の外観およびしばしば色も決定する。勿論、溝６の開口部８が画像システムで用いられる場合、封止される。その場合、凹所５も同様に封止される。この封止は、たとえばホットメルト設備を用いて実施されてもよい。溝６および／または凹所５が機械的に封止されることも可能である。
【００２２】
溝６が２つの凹所５間の位置で封止されることも考えられる。このことは、たとえば、第１の表面に略平行な方向および溝６の縦軸を略横断する方向に圧縮することによって発生してもよい。凹所５間に位置された溝６内の部分は、閉鎖層１１に対して局所的に提供された（図示しない）閉鎖素子を提供することによって閉鎖されることも考えられる。その場合、閉鎖層１１を貼付する時、溝６が閉鎖されるように閉鎖層１１の位置決めをしなければならない。随意的に、凹所５および溝６を液体で充填する場合、閉鎖素子によって占有されるべき容積に関心を持たなければならない。凹所５間に位置された溝６の部分の閉鎖は、凹所５内に含まれる液体が分離しないという利点がある。言換えれば、荷電粒子が凹所５を離れることができず、たとえば、別の凹所５内に蓄積し始めることができない。フォイルの両側に剪断応力を与え、溝を封止することも可能である。
【００２３】
勿論、フォイルが電気泳動画像システムに用いられる場合、第１の表面３の近傍および第２の表面の近傍のフォイルは（図示しない）電極を備えていなければならない。好ましくは、電極が目視側３で透明である。随意的に、閉鎖層１１は電極を含む。電極は、たとえば、視覚的外観のパッシブマトリックス制御が、凹所内に含まれる各液体内で可能であるように配されてもよい。各凹所が、別々に電極を備えていることも可能である。
【００２４】
本発明は、決して図示された典型的な実施形態に限定されることはない。多くの変形例が可能である。第１の典型的な実施形態の局面は、多くの場合第２の典型的な実施形態の局面と結合してもよい。凹所は各々非常に近接して配されてもよく、凹所間に配された壁は相対的に薄くてもよい。相互に近くに配された２つの凹所の中心間の距離Ｋは、いかなる所望の大きさを有してもよいが、好ましくは、１０μｍ〜１０００μｍの範囲であり、さらに好ましくは１０μｍ〜３００μｍの範囲である。勿論、そのようなフォイルが画像システムに用いられた場合、より小さい距離Ｋの使用によってより高い解像度が得られるということが、有効である。フォイルは、いかなる所望の厚さを有してもよい。しかし、好ましくは、厚さが５μｍ〜９０μｍの範囲である。実際には、溝および凹所のいかなる所望の形状も可能である。これらすべての変化型は本発明に属していると考えられる。
【図面の簡単な説明】
【００２５】
【図１ａ】本発明に従うフォイルの第１の実施形態の平面図を概略的に示す。
【図１ｂ】図１ａのＡ−Ａ線に沿った断面を示す。
【図１ｃ】図１ａのＢ−Ｂ線に沿った断面を示す。
【図１ｄ】図１の平面図に示されたフォイルの側面図を示す。
【図２ａ】本発明に従うフォイルの第２の実施形態の平面図を概略的に示し、液体が充填された溝と凹所を示す。
【図２ｂ】図２ａのＣ−Ｃ線に沿った断面を概略的に示す。
【図２ｃ】図２ａのＤ−Ｄ線に沿った断面を概略的に示す。
【図２ｄ】図２ａの平面図に示されたフォイルの側面図を概略的に示す。
【符号の説明】
【００２６】
１  フォイル
２  目視点
３  第１の表面
４  第２の表面
５  凹所
６  溝
７  側面
８  開口部
９  第１の端部
１０  第２の端部
１１  閉鎖層
１２  液体
３０  三角形
【図１ａ】
2004170925.tif 000003
【図１ｂ】
2004170925.tif 000004
【図１ｃ】
2004170925.tif 000005
【図１ｄ】
2004170925.tif 000006
【図２ａ】
2004170925.tif 000007
【図２ｂ】
2004170925.tif 000008
【図２ｃ】
2004170925.tif 000009
【図２ｄ】
2004170925.tif 000010
【外国語明細書】
2004170925.tif 000011
2004170925.tif 000012
2004170925.tif 000013
2004170925.tif 000014
2004170925.tif 000015
2004170925.tif 000016
2004170925.tif 000017
2004170925.tif 000018
2004170925.tif 000019
2004170925.tif 000020
2004170925.tif 000021
2004170925.tif 000022
2004170925.tif 000023
2004170925.tif 000024
2004170925.tif 000025
2004170925.tif 000026
2004170925.tif 000027
2004170925.tif 000028
2004170925.tif 000029